(57)【要約】本発明は、タコグラフ（１）によって記録されたデータに関する情報をプリントするためのプリンタ（２）、及びプリンタ（２）を制御するための方法であって、プリンタ（２）が、印刷媒体（１０）の貯蔵部（９）と、媒体搬送装置（１５）とを有している。  従来のプリンタ（２）においては、印刷媒体（１０）がしばしば堰き止められる。何故ならば、印刷媒体（１０）は温度変化及び空気中の湿気の影響を受けて圧着ローラ（８）に固着するからである。本発明によれば、周期的な時間を保って繰り返される間隔内で、印刷指令（６）がなくても、印刷媒体（１０）の非作業時送り運動が行われるようになっている。
2006524589.tif 000002
【特許請求の範囲】
【請求項１】
タコグラフ（１）によって記録されたデータに関する情報をプリントするためのプリンタ（２）であって、印刷媒体（１０）の貯蔵部（９）と、印刷媒体（１０）を取り出し方向（１２）に送る媒体搬送装置（１５）と、少なくとも１つの媒体搬送装置（１５）を制御するコントロールユニット（３）とを有している形式のものにおいて、
コントロールユニット（３）は、媒体搬送装置（１５）が周期的に間隔を保って非作業時送り運動を実施し、該非作業時送り運動中に、印刷指令（６）がなくても媒体搬送装置（１５）が印刷媒体（１０）を取り出し方向（１２）に、かつ／又は取り出し方向（１２）とは逆方向に送るように、媒体搬送装置（１５）を制御するように構成されていることを特徴とする、プリンタ。
【請求項２】
印刷媒体（１０）の非作業時送り運動送り経路（４０）が、一方方向で０．５ｍｍ〜３０ｍｍである、請求項１記載のプリンタ。
【請求項３】
コントロールユニット（３）は、媒体搬送装置（１５）の非作業時送り運動中に、印刷媒体（１０）が初期位置（３０）からまず取り出し方向（１２）とは逆方向に、次いで取り出し方向（１２）で初期位置（３０）に戻り運動するように、媒体搬送装置（１５）を制御するように構成されている、請求項１又は２記載のプリンタ。
【請求項４】
貯蔵部（９）の印刷媒体（１０）が巻体（１６）としてロール状に巻かれている、請求項１から３までのいずれか１項記載のプリンタ。
【請求項５】
プリンタ（２）が感熱プリンタとして構成されていて、印刷媒体（１０）が感熱紙（２０）として構成されている、請求項１から４までのいずれか１項記載のプリンタ。
【請求項６】
プリンタ（２）が印刷ヘッド（７）を有しており、印刷媒体（１０）が圧着ローラ（８）によって前記印刷ヘッド（７）にガイドされ、印刷媒体（１０）が圧着ローラ（８）に当接する、請求項１から５までのいずれか１項記載のプリンタ。
【請求項７】
コントロールユニット（３）は、印刷指令（６）によって指示されたプリンタ（２）の制御開始時に、まず、印刷指令（６）が実施される前に非作業時送り運動が行われる形式で制御が行われるように、構成されている、請求項１から６までのいずれか１項記載のプリンタ。
【請求項８】
商用車でタコグラフ（１）によって記録されたデータに関する情報をプリントするためのプリンタ（２）を制御するための方法において、
媒体搬送装置（１５）を、非作業時送り運動中に周期的に間隔を保って、印刷指令（６）がなくても取り出し方向（１２）に向かって、かつ／又は取り出し方向（１２）とは逆方向に送ることを特徴とする、プリンタを制御するための方法。
【請求項９】
印刷媒体（１０）の非作業時送り運動の送り経路（４０）を、０．５ｍｍ〜３０ｍｍとする、請求項８記載の方法。
【請求項１０】
非作業時送り運動中に印刷媒体（１０）を、初期位置（３０）からまず取り出し方向（１２）とは逆方向に送り、次いで取り出し方向（１２）で初期位置（３０）に戻し移動させる、請求項９記載の方法。
【請求項１１】
貯蔵部（９）の印刷媒体（１０）を巻体（１６）としてロール状に巻く、請求項９又は１０記載の方法。
【請求項１２】
プリンタ（２）を感熱プリンタとして構成し、印刷媒体（１０）を感熱紙（２０）として構成する、請求項９から１１までのいずれか１項記載の方法。
【請求項１３】
印刷ヘッド（７）を用いて印刷媒体（１０）に印刷し、印刷媒体（１０）を圧着ローラ（８）によって印刷ヘッド（７）にガイドし、印刷媒体（１０）を圧着ローラ（８）に当接させる、請求項１０又は１１記載の方法。
【請求項１４】
印刷指令（６）によって指示されたプリンタ（２）の制御開始時に、印刷指令（６）が実施される前に、非作業時送り運動を行う、請求項９から１３までのいずれか１項記載の方法。
【請求項１５】
非作業時送り運動を１０時間〜４０時間の間の周期的に繰り返される間隔で行う、請求項９〜１４までのいずれか１項記載の方法。
【発明の詳細な説明】
【技術分野】
【０００１】
本発明は、タコグラフによって記録されたデータに関する情報をプリントするためのプリンタであって、印刷媒体の貯蔵部と、印刷媒体を取り出し方向に送る媒体搬送装置と、少なくとも１つの媒体搬送装置を制御するコントロールユニットとを有している形式のものに関する。また本発明は、このような形式のプリンタを制御するための方法に関する。
【０００２】
このような形式のプリンタは、ドイツ連邦共和国特許出願第１０２１５１２２号明細書により公知である。一般的な形式でこの装置は小型に構成されていて、印刷貯蔵部内に巻体として貯蔵された印刷媒体が、感熱印字方式で印刷ヘッドによって印字されるようになっている。印刷媒体は規則的に、非作業中においても、印刷媒体を印刷ヘッドにガイドする圧着ローラに当接する。特にこの後置の明細書に記載したような形式のプリンタが長時間使用されないと、周囲の空気中の湿気及び温度変化の影響を受けて、印刷媒体が当接している構成部分に、印刷媒体が接着結合され、特に貼り付くことになる。このような場合、商用車（特に不都合なプロセスを早める全体的に不都合な要因が存在する）に設けられたタコグラフのプリンタにおいて、問題がある。商用車においては印刷媒体は一般的に、感熱印字方式に適して構成されており、空気中の湿気は従来では比較的高く、温度変化の幅は非常に大きい。印刷媒体が、この印刷媒体に当接する構成部分（例えば圧着ローラ）に不都合に接着することによって、長い停止後におけるプリントアウトを実施するためのプリンタの始動時に、紙詰まりが発生することになる。
【０００３】
以上のような問題点から出発して、本発明の課題は、長い停止時間後にプリンタ内において印刷媒体が堰き止められるのを避けることである。
【０００４】
この課題を解決した本発明によれば、コントロールユニットは、媒体搬送装置が周期的に間隔を保って非作業時送り運動を実施し、該非作業時送り運動中に、印刷指令がなくても媒体搬送装置が印刷媒体を取り出し方向に、かつ／又は取り出し方向とは逆方向に送るように、媒体搬送装置を制御するように構成されている。また前記課題を解決した本発明の冒頭に述べた方法によれば、媒体搬送装置を、非作業時送り運動中に周期的に間隔を保って、印刷指令がなくても取り出し方向に向かって、かつ／又は取り出し方向とは逆方向に送るようにした。
【０００５】
本発明による非作業時送り運動は、周期的な間隔を保って、印刷媒体と接触する構成部分と印刷媒体が接着結合若しくは固着することを効果的に避けるようになっている。これによって紙詰まりの原因は効果的に取り除かれる。
【０００６】
本発明の有利な実施態様によれば、印刷媒体の非作業時送り運動送り経路が、一方方向で０．５ｍｍ〜３０ｍｍである。印刷媒体の送り運動は、特に有利には、印字の約２行分若しくは５ｍｍであることが分かった。これによって固着は効果的に避けられ、それと同時に付加的なエネルギー受容が受け入れ可能なレベルに限定される。
【０００７】
有利には、コントロールユニットは、媒体搬送装置の非作業時送り運動中に、印刷媒体が初期位置からまず取り出し方向とは逆方向に、次いで取り出し方向で初期位置に戻り運動するように、媒体搬送装置を制御するように構成されている。このような手段によって、まず有利には圧着ローラと接続される印刷媒体が印刷ヘッドの領域内にある圧着ローラによって連行されるので、接着により生ぜしめられた高い力が、引張負荷にさらされる印刷媒体によって困難なく克服され得る、という決定的な利点が得られる。それと同時に、このシステムは、非作業時送り運動の前の初期位置に達し、それによってこのプロセスはほぼ無制限に繰り返し行うことができる。貯蔵部の印刷媒体が巻体としてロール状に巻かれていれば、プリンタの本発明による有利な構成が得られる。この場合、巻体の外周面の領域において軽い接着が剥がされるようになっている。本発明の課題は、サーマル印字式プリンタとして構成された装置においてしばしば生じるので、コントローラを本発明に従って構成すれば特に有利である。圧着ローラが印刷媒体を印刷ヘッドに押し付ける箇所において、特に強い粘着力を克服する必要があるので、感熱印字式プリンタに関連して本発明の構成が特に有利である。
【０００８】
プリントアウトの始動時に、どんなことがあっても印刷媒体の堰き止めを避けるために、プリンタのコントロールユニットは、印刷指令によって指示されたプリンタの制御開始時に、まず、印刷指令が実施される前に非作業時送り運動が行われる形式で制御が行われるように、構成されている。この場合、特に有利には、まず小さい送り経路内で送るために、取り出し方向とは逆方向に送るようにし、それによって不安定な圧力にさらされる印刷媒体が引張負荷によって固着抵抗を克服するようになっている。
【０００９】
以下に本発明を２つの図面に示した特別な実施例について説明する。
【００１０】
図１は、タコグラフ内に設けられた本発明によるプリンタの概略図、
図２は、本発明の方法による、本発明のプリンタにおける非作業時における送り運動の連続を示す図である。
【００１１】
図１には、組み込まれたプリンタ２を有するタコグラフ１が示されている。プリンタ２のコントロールユニット３は、タコグラフ１の上位のコントローラ４と、信号を伝達する接続ライン５を介して接続されている。接続ライン５によって、コントローラ４はコントロールユニット３に印刷指令６を送信する。
【００１２】
プリンタ２の主要な構成部分は、コントローラユニット３と、印刷ヘッド７と、圧着ローラ８を有する媒体搬送装置１５と、巻体（ロール紙）１６として構成された印刷媒体１０の貯蔵部９である。コントローラユニット３は駆動装置１１によって印刷媒体１０を供給するための圧着ローラ８の回転運動を取り出し方向１２に制御し、これによって印刷媒体１０はタコグラフ１のプリンタ２の取り出し開口１３から取り出され、使用者が印刷物を受け取ることができる。タコグラフ１によって記録されたデータに関する情報をプリントするために、コントロールユニット３はコントローラ４から印刷指令６を受信し、それに応じて圧着ローラ８の印刷ヘッド７及び駆動部１１を制御する。印刷媒体１０は感熱紙２０であって、印刷ヘッド７は感熱印字方式で作業する。
【００１３】
長い非作業時間中に、印刷媒体１０が、特に空気中の湿気及び温度変動の影響を受けて圧着ローラ８の圧力によって固着することがないようにするために、本発明によれば、長い非作業時間中においても図２に示したような非作業時送り運動が行われるようになっている。図２の１）に示した初期位置３０（この初期位置において印刷媒体１０が圧着ローラ８の圧力下で印刷ヘッド７に圧着している）から、印刷媒体１０は短い送り経路４０で、図２の２）に示した取り出し方向に抗して移動する。次いで印刷媒体１０は、図２の３）に示したように、再び取り出し方向１２で初期位置３０に送られるようになっている。
【図面の簡単な説明】
【００１４】
【図１】タコグラフ内に設けられた本発明によるプリンタの概略図である。
【図２】１）、２）及び３）は、それぞれ、本発明の方法による、本発明のプリンタ内での非作業時における送り運動の連続を示す図である。
【図１】
2006524589.tif 000003
【図２】
2006524589.tif 000004
【国際調査報告】
2006524589.tif 000005
2006524589.tif 000006
2006524589.tif 000007
2006524589.tif 000008
2006524589.tif 000009
2006524589.tif 000010
2006524589.tif 000011